(57)【要約】【課題】使用時にはその部屋を広くして使い勝手がよいものとし、その部屋を使用しないときには、その部屋をコンパクトのものとし、その他の部屋を広く使えるようにした部屋の出入口構造を提供すること。【解決手段】居室１内のトイレ室２の開口部に、外開き戸２１が設け、この外開き戸２１が開けたときに形成される間隙部を出入口とし、この出入口に折り畳み戸２２を開閉可能に設けた部屋の出入口構造。。【選択図】　　　　図１
2004116233.tif 000002
【特許請求の範囲】
【請求項１】
部屋の開口部に、外開き戸が設けられ、この外開き戸が開いたときに形成される間隙部を出入口とし、この出入口に上記外開き戸とは別の扉が開閉可能に設けられていることを特徴とする部屋の出入口構造。
【請求項２】
外開き戸とは別の扉が、上部に設けられたレールに吊り下げられ、レールに沿って移動可能とされるとともに、外開き戸の開放端部が上記レールに係止され、レールに沿って移動可能とされて外開き戸が開閉するようにされていることを特徴とする請求項１記載の部屋の出入口構造。
【請求項３】
外開き戸とは別の扉が、折り畳み戸であることを特徴とする請求項１又は２記載の部屋の出入口構造。
【請求項４】
部屋が居室内に設けられたトイレ室であることを特徴とする請求項１、２又は３記載の部屋の出入口構造。
【発明の詳細な説明】
【０００１】
【発明の属する技術分野】
この発明は、部屋の出入口構造に関する。
【０００２】
【従来の技術】
部屋の出入口構造としては、普通は部屋の開口部に一個の扉体を開閉可能に取り付け、この扉を開けたり、閉めたりして、部屋を開閉している。
【０００３】
しかし、狭いスペースに浴室やトイレ室等の部屋を設置するような場合には、それぞれを別の部屋として独立して設けることなく、浴槽部と、洗面台及びトイレを含むドライ部とを、一体化して直列に配置し、出入口に扉体を配設し、出入口を開放したときには、浴槽部とドライ部との境界部分を閉じるようにした衛生ユニットが知られている（例えば、特許文献１参照）。
【０００４】
【特許文献１】
特開平０３−４３５７２号公報
【０００５】
【発明が解決しようとする課題】
上記特許文献１に記載の衛生ユニットは、浴室とトイレの出入口と、トイレと居室の出入口とを兼用することによって、省スペース化が配慮されたものとなっている。
【０００６】
しかし、高齢者施設等の居室に設置されるトイレ室のような部屋では、手摺、アームレス等の介護機器が取り付けられるため、居室内でのトイレ室が占める占有率が大きくなり、トイレ室以外の居室スペースが狭くなるといった問題がある。
【０００７】
この発明は、上記の問題を解消しようとするものであり、使用時にはその部屋を広くして使い勝手がよいものとし、その部屋を使用しないときには、その部屋をコンパクトなものとし、その他の部屋を広く使えるようにした部屋の出入口構造を提供することを目的とする。
【０００８】
【課題を解決するための手段】
請求項１記載の部屋の出入口構造は、部屋の開口部に、外開き戸が設けられ、この外開き戸が開いたときに形成される間隙部を出入口とし、この出入口に上記外開き戸とは別の扉が開閉可能に設けられていることを特徴としている。
【０００９】
請求項２記載の部屋の出入口構造は、請求項１記載の部屋の出入口構造において、外開き戸とは別の扉が、上部に設けられたレールに吊り下げられ、レールに沿って移動可能とされるとともに、外開き戸の開放端部が上記レールに係止され、レールに沿って移動可能とされて外開き戸が開閉するようにされていることを特徴としている。
【００１０】
請求項３記載の発明の部屋の出入口構造は、請求項１又は２記載の部屋の出入口構造において、外開き戸とは別の扉が、折り畳み戸であることを特徴としている。
【００１１】
請求項４記載の発明の部屋の出入口構造は、請求項１、２又は３記載の部屋の出入口構造において、部屋が居室内に設けられたトイレ室であることを特徴としている。
【００１２】
（作用）
請求項１記載の部屋の出入口構造にあっては、部屋の開口部に、外開き戸が設けられ、この外開き戸が開いたときに形成される間隙部を出入口とし、この出入口に上記外開き戸とは別の扉が開閉可能に設けられているので、外開き戸を開けた分だけその部屋が広くなって、使い勝手がよいものとなり、外開き戸を開けたときに形成される間隙部の出入口は、外開き戸とは別の扉により閉じられてプライバシーが確保される。
【００１３】
また、その部屋を使用しないときには、外開き戸によって間隙部の出入口が閉じられ、その部屋がコンパクトなものとなり、その他の部屋を広く使える。
【００１４】
請求項２記載の部屋の出入口構造にあっては、請求項１記載の発明の部屋の出入口構造の作用を奏するとともに、外開き戸とは別の扉が、上部に設けられたレールに吊り下げられ、レールに沿って移動可能とされるとともに、外開き戸の開放端部が上記レールに係止され、レールに沿って移動可能とされて外開き戸が開閉するようにされているので、外開き戸と扉を滑らかに開閉することができ、また、外開き戸を開けたときに形成される間隙部の出入口の床面は、扉を案内するレール等が不要で段差がなく、安全に出入りすることができる。
【００１５】
請求項３記載の部屋の出入口構造にあっては、請求項１又は２記載の部屋の出入口構造の作用を奏するとともに、外開き戸とは別の扉が、折り畳み戸であるので、外開き戸を開けたときに形成される間隙部の出入口の開閉が容易となる。
【００１６】
請求項４記載の部屋の出入口構造にあっては、使用時には、トイレ室が広くなって使い勝手がよいものとなり、外開き戸を開けたときに形成される間隙部の出入口は、外開き戸とは別の扉により閉じられてプライバシーが確保され、使用しないときには、外開き戸で開口部が閉じられてトイレ室はコンパクトなものとなり、その他の居室を広く使える。
【００１７】
【発明の実施の形態】
この発明の実施の形態を図面の実施例に基づいて説明する。
【００１８】
図１は、この発明の部屋の出入口構造の一例の外開き戸を閉じた状態を示すものであって、（Ａ）は居室の平面図、（Ｂ）は居室内のトイレ室の斜視図、図２は、図１に示す部屋の出入口構造において、外開き戸を開けた状態を示すものであって、（Ａ）は居室の平面図、（Ｂ）は居室内のトイレ室の斜視図、図３は、図１に示す部屋の出入口構造において、外開き戸を開けた後、折り畳み戸を開けた状態を示すものであって、（Ａ）は居室の平面図、（Ｂ）は居室内のトイレ室の斜視図、図４は、図１に示すトイレ室の出入口構造における、外開き戸と折り畳み戸との取り付け状態を示すものであって、（Ａ）は外開き戸と折り畳み戸の取り付け状態を示す斜視図、（Ｂ）は折り畳み戸の取り付け状態を示す斜視図、（Ｃ）は折り畳み戸と天井部のレールとの取り付け状態を示す正面図、（Ｄ）は（Ｃ）の要部の断面図、図５は、図１に示すトイレ室の出入口構造における、外開き戸の取り付け状態を示すものであって、（Ａ）は外開き戸の正面図、（Ｂ）は（Ａ）の要部の断面図、（Ｃ）は外開き戸の停止機構を示す断面図である。
【００１９】
１は、高齢者施設等の建物における居住者のための居室であって、その室内は、トイレ室２、洗面台３、ベット４、机５、収納庫６、７等が設けられ、出入口８から、共用廊下９を通って、図示していない、食堂、浴室、娯楽室等の共同設備、玄関に行けるようになっている。
【００２０】
トイレ室２は、居室１の共用廊下９に面した一隅に、共用廊下９側の仕切り壁２８、隣室との間仕切り壁２７及び居室１内に立設した仕切り壁２６の３個の壁体にて三方が囲まれて形成されている。
なお、２３は便器、２４は手洗いである。
【００２１】
２１は外開き戸であって、トイレ室２の正面の開口部に、その端縁部を蝶番等を介して共用廊下側の仕切り壁に取り付けられ、把手２１１を引くことによって、外開きするように設けられている。
外開き戸２１を閉じると、図１（Ａ）、図１（Ｂ）に示すように、トイレ室２が閉鎖された状態となる。
【００２２】
外開き戸２１は、図２（Ａ）、図２（Ｂ）や図３（Ａ）、図３（Ｂ）に示すような位置まで開けたとき、図５（Ｃ）に示すように、把手２１１の近辺に設けたストッパー操作バー２１２を作動させると、外開き戸２１内に組み込んであるストッパー２１３が下降する。
【００２３】
ストッパー２１３が下降すると、その先端部は床面の所定位置に穿設された窪み状のストッパー受け部２１４に係止し、外開き戸２１と仕切り壁２６との間に間隙部ができ、出入口とされるようになっている。
このとき、図２（Ａ）、図２（Ｂ）に示すように、後述する折り畳み戸２２は、外開き戸２１の動きに連動して間隙部の出入口を閉じている。
【００２４】
２２は、折り畳み戸であって、図４（Ａ）、図４（Ｂ）に示すように、天井部に設置したレール２５に釣り下げられて設置されている。この折り畳み戸２２は、外開き戸２１の開閉時には、その端縁部が外開き戸２１の把手２１１側の端縁部に係止して移動するようになっている。
【００２５】
レール２５は、図４（Ｄ）等に示すように、上下二段に仕切られており、外開き戸２１の開閉時に、下側レール２５１を外開き戸２１の戸車２１５が通り、同時に外開き戸２１に係止された折り畳み戸２２のローラー２２２が、戸枠レール２２１の上部に設置された上側レール２５２を通り、折り畳み戸２２が外開き戸２１の開閉に連動し、折り畳み戸２２が引き出されるようになっている。
【００２６】
外開き戸２１が開けられた後、図３（Ａ）、図３（Ｂ）に示すように、折り畳み戸２２を折り畳んで、間隙部を開け、出入口とする。
外開き戸２１や折り畳み戸２２を、図１（Ａ）、図１（Ｂ）に示すような位置に戻すには、上記と逆の操作を行えばよい。
【００２７】
（実施例１の作用）
トイレ室２の開口部に、外開き戸２１が設けられ、この外開き戸２１が開いたときに形成される間隙部を出入口とし、この出入口に上記外開き戸２１とは別の折り畳み戸２２が開閉可能に設けられているので、外開き戸２１を開けた分だけトイレ室２が広くなって、使い勝手がよいものとなる（図２（Ａ）、図３（Ｂ）参照）。
【００２８】
そして、トイレ室２は、外開き戸２１とは別の折り畳み戸２２により閉じられてプライバシーが確保され（図２（Ａ）、図２（Ｂ）参照）、折り畳み戸２２を折り畳むことによりトイレ室２に出入りできる（図２（Ａ）、図３（Ｂ）参照）。
【００２９】
また、トイレ室２を使用しないときには、外開き戸２１を閉じることにより、トイレ室２がコンパクトなものとなり、その他の居室を広く使える（図１（Ａ）、図２（Ｂ）参照）。
【００３０】
折り畳み戸２２が、上部に設けられたレール２５に吊り下げられ、レール２５に沿って移動可能とされるとともに、外開き戸２１の開放端部が上記レール２５に係止され、レール２５に沿って移動可能とされて外開き戸２１が開閉するようにされているので、外開き戸２１と折り畳み戸２２をレール２５に沿って滑らかに開閉することができ、また、外開き戸２１を開けたときに形成される間隙部の出入口の床面は、扉を案内するレール等が不要で段差がなく、安全に出入りすることができる。
【００３１】
上記の実施例は、高齢者施設等の建物の居住者のための居室１内に設けられたトイレ室２の開閉構造について説明したが、高齢者施設等の建物の居住者のための居室１以外の建物のトイレ室又はトイレ室以外の部屋であってもよいことは勿論である。
また、外開き戸とは別の扉が折り畳み戸である実施例を説明しているが、折り畳み戸以外の引き戸であってもよいことは勿論である。
【００３２】
【発明の効果】
請求項１記載の部屋の出入口構造にあっては、外開き戸を開けた分だけその部屋が広くなって、使い勝手がよいものとなり、外開き戸を開けたときに形成される間隙部の出入口は、外開き戸とは別の扉により閉じられてプライバシーが確保される。
【００３３】
また、その部屋を使用しないときには、外開き戸で開口部が閉じられ、その部屋をコンパクトなものなり、その他の部屋を広く使える。
【００３４】
請求項２記載の部屋の出入口構造にあっては、請求項１記載の発明の部屋の出入口構造の作用を奏するとともに、外開き戸と扉とをレールに沿って滑らかに開閉することができる。
【００３５】
また、外開き戸を開けたときに形成される間隙部の出入口の床面は、扉を案内するレール等が不要で段差がなく、安全に出入りすることができる。
【００３６】
請求項３記載の部屋の出入口構造にあっては、請求項１又は２記載の部屋の出入口構造の作用を奏するとともに、外開き戸を開けたときに形成される間隙部の出入口の開閉は折り畳み戸によって容易となる。
【００３７】
請求項４記載の部屋の出入口構造にあっては、使用時には、トイレ室が広くなって使い勝手がよいものとなり、外開き戸を開けたときに形成される間隙部の出入口は、外開き戸とは別の扉により閉じられてプライバシーが確保され、使用しないときには、外開き戸で開口部が閉じられてトイレ室はコンパクトなものとなり、その他の居室を広く使える。
【図面の簡単な説明】
【図１】この発明の部屋の出入口構造の一例の外開き戸を閉じた状態を示すものであって、（Ａ）は居室の平面図、（Ｂ）は居室内のトイレ室の斜視図である。
【図２】図１に示す部屋の出入口構造において、外開き戸を開けた状態を示すものであって、（Ａ）は居室の平面図、（Ｂ）は居室内のトイレ室の斜視図である。
【図３】図１に示す部屋の出入口構造において、外開き戸を開けた後、折り畳み戸を開けた状態を示すものであって、（Ａ）は居室の平面図、（Ｂ）は居室内のトイレ室の斜視図である。
【図４】図１に示す部屋の出入口構造における、外開き戸と折り畳み戸との取り付け状態を示すものであって、（Ａ）は外開き戸と折り畳み戸の取り付け状態を示す斜視図、（Ｂ）は折り畳み戸の取り付け状態を示す斜視図、（Ｃ）は折り畳み戸と天井部のレールとの取り付け状態を示す正面図、（Ｄ）は（Ｃ）の要部の断面図である。
【図５】図１に示す部屋の出入口構造における、外開き戸の取り付け状態を示すものであって、（Ａ）は外開き戸の正面図、（Ｂ）は（Ａ）の要部の断面図、（Ｃ）は外開き戸の停止機構を示す断面図である。
【符号の説明】
１　　　　居室
２　　　　トイレ室（部屋）
２１　　　外開き戸
２１１　　把手
２２　　　折り畳み戸
２３　　　玄関出入口
２５　　　レール
３　　　　洗面台
４　　　　ベット
５　　　　机
６、７　　収納庫
【図１】
2004116233.tif 000003
【図２】
2004116233.tif 000004
【図３】
2004116233.tif 000005
【図４】
2004116233.tif 000006
【図５】
2004116233.tif 000007